(57)【要約】      （修正有）【課題】複数の装置間でのスムーズな通信切替えを行うことが可能な電子装置、通信システム及び通信方法を提供する。【解決手段】無線通信の１のプロファイルを用いた通信によって、１の装置と他の装置との間で確立されている無線通信の他のプロファイルを用いた通信の切断を１の装置に命令する切断命令部と、他のプロファイルを用いた通信を１の装置との間で確立して当該確立された通信によって１の装置にデータを送信するデータ送信部と、を有する。【選択図】図１
2018082305.tif 000002
【特許請求の範囲】
【請求項１】
無線通信の１のプロファイルを用いた通信によって、１の装置と他の装置との間で確立されている前記無線通信の他のプロファイルを用いた通信の切断を前記１の装置に命令する切断命令部と、
前記他のプロファイルを用いた通信を前記１の装置との間で確立して当該確立された通信によって前記１の装置にデータを送信するデータ送信部と、を有することを特徴とする電子装置。
【請求項２】
前記切断命令部は、前記データ送信部が前記データの送信を開始する際に、前記１の装置に前記他の装置との間の通信の切断命令を行うことを特徴とする請求項１に記載の電子装置。
【請求項３】
前記データ送信部は、当該データの送信後に前記他のプロファイルを用いた前記１の装置との通信を切断し、
前記切断命令部は、前記データ送信部が前記１の装置との前記他のプロファイルを用いた通信を切断する際に、前記１の装置に前記他の装置との間の前記他のプロファイルを用いた通信の再開を命令することを特徴とする請求項２に記載の電子装置。
【請求項４】
前記１のプロファイル及び前記他のプロファイルは、１の規格に準拠したプロファイルであることを特徴とする請求項１乃至３のいずれか１つに記載の電子装置。
【請求項５】
前記１のプロファイルは、Bluetooth（登録商標）通信のＳＰＰ（Serial Port Profile）であることを特徴とする請求項１乃至４のいずれか１つに記載の電子装置。
【請求項６】
前記他のプロファイルは、Bluetooth（登録商標）通信のＡ２ＤＰ（Advanced Audio Distribution Profile）であることを特徴とする請求項１乃至５のいずれか１つに記載の電子装置。
【請求項７】
前記他のプロファイルは、Bluetooth（登録商標）通信のＶＤＰ（Video Distribution Profile）であることを特徴とする請求項１乃至５のいずれか１つに記載の電子装置。
【請求項８】
第１の装置及び第２の装置を含む通信システムであって、
前記第２の装置は、無線通信の１のプロファイルを用いた通信によって、前記第１の装置と他の装置との間で確立されている前記無線通信の他のプロファイルを用いた通信の切断を前記第１の装置に命令する切断命令部と、前記他のプロファイルを用いた通信を前記第１の装置との間で確立して当該確立された通信によって前記第１の装置にデータを送信し、当該データの送信後に前記第１の装置との間の前記他のプロファイルを用いた通信を切断するデータ送信部と、を有することを特徴とする通信システム。
【請求項９】
前記第１の装置は、前記データ送信部による前記他のプロファイルを用いた通信の切断後に、前記他の装置との間で前記他のプロファイルを用いた通信を再開する通信制御部を有することを特徴とする請求項８に記載の通信システム。
【請求項１０】
電子装置を用いた１の装置との通信方法であって、
無線通信の１のプロファイルを用いた通信によって、前記１の装置と他の装置との間で確立されている前記無線通信の他のプロファイルを用いた通信の切断を前記１の装置に命令するステップと、
前記他のプロファイルを用いた通信を前記１の装置との間で確立して当該確立された通信によって前記１の装置にデータを送信するステップと、を有することを特徴とする通信方法。
【発明の詳細な説明】
【技術分野】
【０００１】
本発明は、無線通信、特に近距離無線通信を行う電子装置、通信システム及び通信方法に関する。
【背景技術】
【０００２】
近年、Wi-Fi（登録商標）等の無線通信、特に、Bluetooth（登録商標）又はZigBee（登録商標）などの近距離無線通信を用いてデータ通信を行う電子装置が様々な分野で普及している。近距離無線通信を用いることによって、例えば、通信ケーブルが不要になる、装置の配置自由度が向上する、移動体間での通信が可能となるといった多くの利点を得ることができる。例えば、特許文献１には、複数の電子機器との間で近距離無線通信を行う通信装置が開示されている。
【先行技術文献】
【特許文献】
【０００３】
【特許文献１】国際公開第2009/107245号
【発明の概要】
【発明が解決しようとする課題】
【０００４】
近距離無線通信を行う際には、電子装置は、通信相手となる装置との間で特定の通信プロファイルを設定し、これに基づいた通信の確立及びデータ通信を行う。ここで、一般に、１つのプロファイルを用いて同時に複数の装置とのデータ通信を行うことはできない。従って、複数の装置との間で同一のプロファイルを用いたデータ通信を行う場合、通信相手を選択して又は切替えて通信を行う必要がある。当該通信相手の切替えは、複雑な操作をすることなくスムーズに行うことができることが好ましい。
【０００５】
本発明は上記した点に鑑みてなされたものであり、複数の装置間でのスムーズな通信切替えを行うことが可能な電子装置、通信システム及び通信方法を提供することを課題の１つとしている。
【課題を解決するための手段】
【０００６】
請求項１に記載の発明は、無線通信の１のプロファイルを用いた通信によって、１の装置と他の装置との間で確立されている無線通信の他のプロファイルを用いた通信の切断を１の装置に命令する切断命令部と、他のプロファイルを用いた通信を１の装置との間で確立して当該確立された通信によって１の装置にデータを送信するデータ送信部と、を有することを特徴としている。
【０００７】
請求項８に記載の発明は、第１の装置及びこれと通信可能な第２の装置を含む通信システムであって、第２の装置は、無線通信の１のプロファイルを用いた通信によって、第１の装置と他の装置との間で確立されている無線通信の他のプロファイルを用いた通信の切断を第１の装置に命令する切断命令部と、他のプロファイルを用いた通信を第１の装置との間で確立して当該確立された通信によって第１の装置にデータを送信することを特徴としている。
【０００８】
請求項１０に記載の発明は、電子装置を用いた１の装置との通信方法であって、無線通信の１のプロファイルを用いた通信によって、１の装置と他の装置との間で確立されている無線通信の他のプロファイルを用いた通信の切断を１の装置に命令するステップと、他のプロファイルを用いた通信を１の装置との間で確立して当該確立された通信によって１の装置にデータを送信するステップと、を有することを特徴としている。
【図面の簡単な説明】
【０００９】
【図１】実施例１に係る通信システムの構成を示すブロック図である。
【図２】実施例１に係る電子装置における通信装置との通信フローを示す図である。
【図３】実施例１に係る通信装置における電子装置との通信フローを示す図である。
【図４】実施例２に係る通信システムの構成を示すブロック図である。
【図５】実施例２に係る通信装置における電子装置との通信フローを示す図である。
【発明を実施するための形態】
【００１０】
以下に本発明の実施例について詳細に説明する。
【実施例１】
【００１１】
図１は、実施例１に係る通信システム１０の構成を示すブロック図である。まず、通信システム１０及びその周辺機器を含むネットワーク全体の構成例について説明する。本実施例においては、通信システム１０は、近距離無線通信によって互いに通信を行う通信装置（第１の装置又は１の装置）２０及び電子装置（第２の装置）３０を含む。
【００１２】
また、通信装置２０は電子装置３０を含む複数の電子装置との通信を行う。本実施例においては、通信装置２０は、電子装置３０及び電子装置Ｔ１（他の装置）と近距離無線通信によって通信を行う。例えば、通信装置２０、電子装置３０及びＴ１は、Bluetooth（登録商標）やWi-Fi（登録商標）などの通信規格に対応した通信モジュール（図示せず）を有し、これを用いて互いに通信を行う。なお、本明細書における「通信」の用語は、近距離無線通信を指す。
【００１３】
本実施例においては、通信装置２０は、電子装置３０との間で、２つの通信プロファイル（以下、単にプロファイルと称する）Ｐ１及びＰ２を用いた近距離無線通信を行う。また、通信装置２０は、電子装置Ｔ１との間で、プロファイルＰ２を用いた近距離無線通信を行う。本実施例においては、プロファイルＰ１及びＰ２は、１の規格に準拠したプロファイルである。例えば、通信装置２０は、電子装置３０及びＴ１との間で、Bluetooth（登録商標）通信のプロファイルを用いた通信を行う。
【００１４】
例えば、プロファイルＰ１（１のプロファイル）は、Bluetooth（登録商標）通信のＳＰＰ（Serial Port Profile）である。また、プロファイルＰ２（他のプロファイル）は、Bluetooth（登録商標）通信のＡ２ＤＰ（Advanced Audio Distribution Profile）又はＶＤＰ（Video Distribution Profile）である。
【００１５】
通信装置２０は、電子装置３０又はＴ１から受信したデータを出力する出力装置ＯＰに接続されている。出力装置ＯＰは、例えばスピーカＳ１及びディスプレイＤ１を含む。例えば、通信装置２０は、電子装置３０又はＴ１から音声データ又は映像データを受信し、当該受信した音声データ又は映像データを出力装置ＯＰから出力するメディア再生装置である。
【００１６】
また、電子装置３０及びＴ１は、例えば光ディスクやハードディスク、メモリなどに音声データ又は映像データを記憶する外部記憶装置である。例えば、電子装置３０は、ＣＤ（Compact Disk）ドライブ、ＤＶＤ（Digital Versatile Disc）ドライブ又はＢＤ（Blu-ray（登録商標） Disc）ドライブなどのディスクドライブである。また、電子装置Ｔ１は、音声データや映像データを記憶するスマートフォンやタブレットである。
【００１７】
例えば、通信装置２０及び電子装置３０としての再生装置及び外部記憶装置は、それぞれ車載用オーディオ機器のヘッドユニット及びディスクドライブとして自動車内に搭載されることができる。例えば、通信装置２０は自動車のダッシュボードに設置され、電子装置３０はセンターコンソールに設置されることができる。
【００１８】
なお、通信装置２０、電子装置３０及びＴ１の構成はこれに限定されない。通信装置２０、電子装置３０及びＴ１の他の構成例としては、通信装置２０としてゲーム機が、電子装置３０及びＴ１として２つのコントローラが挙げられる。また、他の構成例としては、通信装置２０としてパーソナルコンピュータ本体が、電子装置３０及びＴ１として２つのマウスが挙げられる。
【００１９】
次に、通信システム１０の通信装置２０及び電子装置３０の構成について説明する。通信装置２０は、電子装置３０及びＴ１との通信の制御を行う通信制御部２１を有する。本実施例においては、通信制御部２１は、プロファイルＰ２を用いた通信を電子装置３０との間で確立するか又は電子装置Ｔ１との間で確立するかを切り替える制御を行う。
【００２０】
通信装置２０は、プロファイルＰ２を用いた近距離無線通信によって電子装置３０又はＴ１から送信されたデータを受信するデータ受信部２２を有する。例えば、データ受信部２２が受信するデータは、音声データ又は映像データ（音楽コンテンツ又は映像コンテンツ等のコンテンツデータ）である。
【００２１】
通信装置２０は、各種の情報を記憶する記憶部２３を有する。記憶部２３は、例えば、データ受信部２２が受信したデータを記憶する。また、記憶部２３は、通信相手となる電子装置３０及びＴ１に関する情報を記憶することができる。
【００２２】
また、通信装置２０は、データ受信部２２が受信したデータを出力装置ＯＰから出力するための各種処理を行う出力処理部２４とを有する。例えば、出力処理部２４は、エンコードされて受信された音声データをデコード処理し、スピーカＳ１から出力する出力データを生成する。
【００２３】
また、通信装置２０は、通信制御部２１、データ受信部２２、記憶部２３及び出力処理部２４による処理動作を制御する処理制御部２５を有する。処理制御部２５は、通信制御部２１、データ受信部２２、記憶部２３及び出力処理部２４に対し、動作指示を行う指令信号を生成及び供給することで、これらの処理を制御する。
【００２４】
次に、電子装置３０は、通信装置２０との通信を行うデータを取得するデータ取得部３１を有する。例えば、電子装置３０がディスクドライブである場合、データ取得部３１は、ディスクの被挿入部（図示せず）及び挿入されたディスクからデータを読取るデータ読取部を有する。
【００２５】
電子装置３０は、データ取得部３１が取得したデータを、プロファイルＰ２を用いた通信によって送信するデータ送信部３２を有する。具体的には、データ送信部３２は、プロファイルＰ２を用いた通信を通信装置２０との間で確立し、当該確立された通信によって通信装置２０にデータを送信する。例えば、データ送信部３２が送信するデータは、音声データ又は映像データ（音楽コンテンツ又は映像コンテンツ等のコンテンツデータ）である。
【００２６】
電子装置３０は、プロファイルＰ２を用いた近距離無線通信が通信装置２０及び電子装置Ｔ１間で確立されている場合、通信装置２０に対して電子装置Ｔ１との間の通信を切断する命令を行う切断命令部３３を有する。
【００２７】
具体的には、切断命令部３３は、プロファイルＰ１、すなわちプロファイルＰ２とは異なるプロファイルを用いて通信装置２０との通信を行う。そして、切断命令部３３は、プロファイルＰ１を用いた通信によって通信装置２０（１の装置）と電子装置Ｔ１（他の装置）との間で確立されているプロファイルＰ２を用いた通信の切断を通信装置２０に命令する。
【００２８】
本実施例においては、切断命令部３３は、データ送信部３２がデータの送信を開始する際に、通信装置２０との間でプロファイルＰ１を用いた通信を開始し、通信装置２０がプロファイルＰ２を用いた通信を他の装置（本実施例においては電子装置Ｔ１）との間で行っているか否かを確認する。そして、切断命令部３３は、通信装置２０がプロファイルＰ２による通信を行っている場合、プロファイルＰ１を用いた通信によって、通信装置２０に対して電子装置Ｔ１との通信の切断命令を行う。
【００２９】
電子装置３０は、電子装置３０内で処理された各種の情報を記憶する記憶部３４を有する。記憶部３４は、例えばデータ取得部３１が取得したデータを記憶する。なお、本実施例においては、切断命令部３３は、切断命令を行った際に通信装置２０が通信していた電子装置Ｔ１の情報を受信し、記憶部３４に供給する。記憶部３４は、電子装置Ｔ１に関する情報を記憶する。
【００３０】
また、本実施例においては、データ送信部３２は、データの送信が終了した際には通信装置２０（データ受信部２２）との間の通信を切断する。例えば、データ送信部３２は、データ取得部３１によるデータの取得が終了又は停止され、当該送信されるべきデータの送信後には、通信装置２０との間のプロファイルＰ２を用いた通信を切断する。例えば、データ取得部３１がデータの取得を終了する場合としては、電子装置３０からディスクが取り出された場合が挙げられる。
【００３１】
切断命令部３３は、データ送信部３２が通信装置２０との間の通信を切断した際には、通信装置２０に対する切断命令を停止する。また、本実施例においては、切断命令部３３は、当該切断命令の停止後、通信装置２０に対して電子装置Ｔ１とのプロファイルＰ２を用いた通信の再開を命令する（通信の再開命令を行う）。
【００３２】
本実施例においては、切断命令部３３による切断命令及び再開命令は、通信装置２０の通信制御部２１に対して行う。通信制御部２１は、電子装置３０の切断命令部３３から切断命令を受けた場合は電子装置Ｔ１との通信を切断する。また、通信制御部２１は、切断命令部３３から再開命令を受けた場合は電子装置Ｔ１との通信を再開する。
【００３３】
なお、通信装置２０及び電子装置３０間のプロファイルＰ２を用いたデータ通信の切断は、通信装置２０側から行ってもよい。例えば、通信装置２０の通信制御部２１は、データ受信部２２が所定期間データを受信しなかった場合、電子装置３０との間のデータ通信を切断してもよい。この場合、通信制御部２１が電子装置Ｔ１との通信を再開してもよい。
【００３４】
電子装置３０は、データ取得部３１、データ送信部３２、切断命令部３３及び記憶部３４による処理動作を制御する処理制御部３５を有する。処理制御部３５は、データ取得部３１、データ送信部３２、切断命令部３３及び記憶部３４に対し、動作指示を行う指令信号を生成及び供給することで、これらの処理を制御する。
【００３５】
図２は、電子装置３０によるデータの送信フローを示す図である。図２を用いて、電子装置３０のデータ送信動作について説明する。本実施例においては、電子装置３０は、データ取得部３１がデータを取得することで送信動作を開始する。まず、切断命令部３３は、データ取得部３１がデータを取得したことを示す信号（トリガ信号）を受信する。そして、切断命令部３３は、このトリガ信号を受けて、プロファイルＰ１を用いて通信装置２０との通信を開始する（ステップＳ１１）。切断命令部３３は、通信装置２０にプロファイルＰ１を用いた通信の確立を要求する信号（第１通信要求信号）を送信する。なお、データ取得部３１が取得したデータはデータ送信部３２に供給される。
【００３６】
次に、切断命令部３３は、通信装置２０が他の装置（以下、電子装置Ｔ１と称する）との間でプロファイルＰ２を用いた通信を確立しているか否かを判定する（ステップＳ１２）。具体的には、切断命令部３３は、通信装置２０の通信制御部２１に対して、プロファイルＰ２を用いた通信の状況を問い合わせる信号（状況要求信号）を送信する。そして、切断命令部３３は、通信制御部２１からのプロファイルＰ２による通信の状況を示す信号（状況信号）を受信する。切断命令部３３は、この状況信号を受信することで、通信装置２０がプロファイルＰ２を用いた通信を行っているか否かを判定する。
【００３７】
なお、通信装置２０がプロファイルＰ２を用いた通信を行っている時の例としては、データ受信部２２が電子装置Ｔ１からコンテンツデータを受信しており、出力処理部２４によって処理されて出力装置ＯＰから出力されている時に相当する。これは、具体的には、例えば、通信装置２０が電子装置Ｔ１から音声データを受信して出力装置ＯＰのスピーカＳ１から出力する動作を行っている最中である場合に相当する。
【００３８】
次に、切断命令部３３は、通信装置２０が電子装置Ｔ１との通信を行っている場合、通信装置２０に対して電子装置Ｔ１との通信の切断を命令する（ステップＳ１３）。具体的には、切断命令部３３は、プロファイルＰ１を用いた通信によって、通信装置２０の通信制御部２１に対し、電子装置Ｔ１との通信の切断を命令する信号（切断命令信号）を送信する。
【００３９】
通信装置２０の通信制御部２１は、切断命令信号を受けて、電子装置Ｔ１との通信を切断する。また、本実施例においては、切断命令部３３は、通信制御部２１から電子装置Ｔ１に関する情報を受信し、当該情報を記憶部３４に記憶させる。
【００４０】
続いて、切断命令部３３はデータ送信部３２に対してデータの送信を開始する信号（送信開始信号）を供給する。データ送信部３２は、送信開始信号を受けて通信装置２０のデータ受信部２２との間でプロファイルＰ２を用いた通信を確立する（ステップＳ１４）。データ送信部２２は、プロファイルＰ２を用いた通信の確立を要求する信号（第２通信要求信号）を通信装置２０に送信する。そして、データ送信部２２は通信装置２０に対してデータの送信を開始する（ステップＳ１５）。
【００４１】
なお、切断命令部３３は、通信装置２０が電子装置Ｔ１との通信を行っていないと判定した場合、切断命令を行わずに送信開始信号をデータ送信部３２に供給する。
【００４２】
データ送信部３２は、データの送信後には、通信装置２０との間のプロファイルＰ２を用いた通信を切断する（ステップＳ１６）。また、データ送信部３２は、データの送信を終了したことを通知する信号（終了通知信号）を切断命令部３３に供給する。
【００４３】
続いて、切断命令部３３は、データ送信部３２から終了通知信号を受信した場合、通信装置２０に対する切断命令を停止（解除）する。本実施例においては、切断命令部３３は、切断命令を行っていた場合、通信装置２０に対し、電子装置Ｔ１との通信の再開を命令する（ステップＳ１７）。切断命令部３３は、通信装置２０に対し、切断命令を停止するか、又は電子装置Ｔ１との通信の再開命令を行った後、動作を終了する。
【００４４】
図３は、通信装置２０による電子装置３０との通信フローを示す図である。図３を用いて、プロファイルＰ２を用いた電子装置Ｔ１との通信が確立されている時（データ通信中）の電子装置３０との通信フローについて説明する。
【００４５】
まず、通信装置２０の通信制御部２１は、電子装置３０からプロファイルＰ１を用いた通信の確立を要求する信号（第１通信要求信号）を受信する。そして、通信装置２０は、電子装置３０との間でプロファイルＰ１による通信を開始する（ステップＳ２１）。
【００４６】
次に、通信制御部２１は、電子装置３０の切断命令部３３から電子装置Ｔ１とのプロファイルＰ２を用いた通信の切断を命令する信号（切断命令信号）を受信する（ステップＳ２２）。
【００４７】
これによって、通信制御部２１は、電子装置Ｔ１とのプロファイルＰ２を用いたデータ通信を切断する。従って、データ受信部２２による電子装置Ｔ１からのプロファイルＰ２を用いたデータの受信が停止される。また、本実施例においては、記憶部２３は、切断命令を受けた際に通信を行っていた電子装置Ｔ１に関する情報を記憶する（ステップＳ２３）。
【００４８】
続いて、通信装置２０は、プロファイルＰ２を用いたデータ通信の確立を要求する信号（第２通信要求信号）を電子装置３０から受信する。これによって、通信装置２０の通信制御部２１は、電子装置３０のデータ送信部３２との間でプロファイルＰ２を用いた通信を確立する（ステップＳ２４）。また、通信装置２０のデータ受信部２２は、電子装置３０からデータを受信し、出力装置ＯＰから出力する（ステップＳ２５）。これによって、例えば、電子装置Ｔ１からの音声データを出力（再生）していた状態から、電子装置３０からの音声データを出力する状態へと切り替わる。
【００４９】
続いて、通信制御部２１は、電子装置３０とのプロファイルＰ２を用いたデータ通信が切断されたか否かを判定する（ステップＳ２６）。通信制御部２１は、例えば、電子装置３０からのデータの受信状況などに基づいて、電子装置３０側からプロファイルＰ２を用いた通信が切断されたと判定する。そして、通信制御部２１は、データ通信の切断を確定する。
【００５０】
通信装置２０は、電子装置３０とのプロファイルＰ２を用いた通信が切断されたと判定した場合、電子装置Ｔ１とのプロファイルＰ２を用いた通信を再開する（ステップＳ２７）。例えば、通信装置２０は、電子装置３０の切断命令部３３からの切断命令が解除された場合、又は電子装置Ｔ１との通信の再開命令を受けた場合、電子装置Ｔ１との通信を再開する。通信装置２０は、電子装置Ｔ１とのプロファイルＰ２を用いた通信を再開してデータの受信及び出力を再開する。
【００５１】
このように、本実施例においては、電子装置３０は、近距離無線通信のプロファイルＰ１を用いた通信によって、通信装置２０と電子装置Ｔ１との間で確立されている近距離無線通信のプロファイルＰ２を用いた通信の切断を通信装置２０に命令する切断命令部３３と、プロファイルＰ２を用いた通信を通信装置２０との間で確立して当該確立された通信によって通信装置２０にデータを送信するデータ送信部３２とを有する。
【００５２】
換言すれば、電子装置３０は、通信装置２０によるプロファイルＰ２を用いた他の電子装置Ｔ１との間の通信、すなわち自身とは異なる２つの装置間の通信を切断及び再開させる。従って、電子装置３０の操作を行うだけで通信装置２０の通信相手の切替を行うことができる。従って、複雑な操作をすることなく複数の装置間でのスムーズな通信切替えを行うことが可能となる。例えば、まず通信装置２０を操作して電子装置Ｔ１とのデータ通信を切断し、次いで電子装置３０を操作して通信装置２０とのデータ通信を開始するといった操作を行う必要がなくなる。
【００５３】
また、電子装置３０は、通信装置２０に対して電子装置Ｔ１との通信を切断する命令を行った際に、電子装置Ｔ１に関する情報を取得して記憶する。また、データ送信部３２は、当該データの送信後にプロファイルＰ２を用いた通信装置２０との通信を切断する。また、切断命令部３３は、データ送信部３２が通信装置２０とのプロファイルＰ２を用いた通信を切断する際に、通信装置２０に電子装置Ｔ１との間のプロファイルＰ２を用いた通信の再開を命令する。
【００５４】
従って、電子装置３０からのデータ通信を終了した際には、通信装置２０の通信相手は、当該切断命令を受けた際に通信を行っていた装置である電子装置Ｔ１に切り替わる。従って、通信装置２０による通信相手は、電子装置３０によるデータ通信の割り込み前の電子装置Ｔ１に自動的に戻ることとなり、再度の切替操作が不要となる。
【００５５】
なお、通信装置２０は、上記したように、電子装置３０から切断命令を受けた際に自身でも命令前の通信相手の電子装置Ｔ１の情報を記憶部３４に記憶することができる。従って、通信装置２０は、電子装置３０からの通信再開命令を受けない場合でも、電子装置３０とのプロファイルＰ２を用いた通信が切断された際には、通信制御部２１が電子装置Ｔ１との通信を再開してもよい。
【００５６】
特に、例えば自動車の運転中は、通信相手の切替に複雑な操作の回避が求められる。従って、通信システム１０の通信装置２０及び電子装置３０が車載用メディア再生機器として構成される場合、効果が大きい。例えば、電子機器Ｔ１としてスマートフォン内の音声データ（音楽）を再生している時でも、電子装置３０としてのディスクドライブにＣＤを挿入するだけで、自動的にスマートフォンからの音楽再生を停止してＣＤ内の音楽を再生させることができる。また、例えば、ディスクドライブからＣＤを排出するだけで自動的にスマートフォン内の音楽再生が再開される。
【００５７】
なお、例えば、通信システム１０がゲーム機器として構成される場合にも同様の効果を得ることができる。例えば、電子装置Ｔ１として通常のコントローラを通信装置２０としてのゲーム機本端に接続している場合に、電子装置３０としての特殊なコントローラのボタンなどを押すだけで、容易に当該特殊コントローラを用いたゲーム操作を行うことができる。
【００５８】
なお、本実施例においては、通信装置２０又は電子装置３０が電子装置Ｔ１の情報を記憶部２３又は３４に記憶して電子装置３０との通信終了時に通信相手を電子装置Ｔ１に戻す構成を有する場合について説明した。しかし、通信装置２０又は電子装置３０はこの構成を有する場合に限定されない。例えば通信装置２０は、電子装置３０との通信を終了した際に自動的に通信可能な相手を探索する機能を有していれば、電子装置Ｔ１に関する情報（切断前に通信していたこと）を記憶していない場合でも電子装置Ｔ１との通信を再開することができる。
【００５９】
また、通信装置２０が出力処理部２４を有する場合について説明したが、通信装置２０は出力処理部２４を有していなくてもよい。例えば出力装置ＯＰがデータを出力用に処理して出力してもよい。また電子装置３０がデータ取得部３１を有する場合について説明したが、電子装置３０はデータ取得部３１を有していなくてもよい。例えば、データ送信部３２がデータの取得を行ってもよく、データが記憶部３４に記憶されていてもよい。
【００６０】
また、本実施例においては、通信システム１０が通信装置２０及びこれと通信可能な電子装置３０を有している。また、電子装置３０は、プロファイルＰ１を用いた通信によって通信装置２０及び電子装置Ｔ１間の通信を切断する切断命令部３３と、プロファイルＰ２を用いた通信によって通信装置２０にデータを送信し、当該データの送信後に通信装置２０との間の通信を切断するデータ送信部３２と、を有する。また、通信装置２０は、データ送信部３２によるプロファイルＰ２を用いた通信の切断後に、電子装置とＴ１の間でプロファイルＰ２を用いた通信を再開する通信制御部２１を有する。従って、複数の装置間でのスムーズな通信切替えを行うことが可能な通信システム１０となる。
【００６１】
なお、本実施例においては、通信システム１０は通信装置２０を含む場合について説明したが、通信システム１０は通信装置２０を含む場合に限定されない。具体的には、電子装置３０を通信装置２０以外の汎用の通信装置、例えば汎用のオーディオ再生装置に接続させることで、同様の効果を得ることができる。すなわち、汎用のオーディオ機器に対し、電子装置３０としての外部記憶装置（例えばディスクドライブ）を組み合わせることで、スムーズな通信切替を行う通信システム（オーディオ再生システム）を構成することができる。
【００６２】
また、本実施例は、例えば、図２に示すステップを経ることで、電子装置３０を用いた通信装置２０との間の通信方法としても実施することができる。すなわち、本発明による通信方法は、プロファイルＰ１を用いた近距離無線通信によって、通信装置２０と電子装置Ｔ１との間で確立されているプロファイルＰ２を用いた近距離無線通信の切断を通信装置２０に命令するステップＳ１３と、プロファイルＰ２を用いた近距離無線通信を通信装置２０との間で確立して当該確立された通信によって通信装置２０にデータを送信するステップＳ１４及びＳ１５とを含む。これによって、複数の装置間でのスムーズな通信切替えを行うことが可能な通信方法を提供することができる。
【実施例２】
【００６３】
図４は、実施例２に係る通信システム４０の構成を示すブロック図である。通信システム４０は、通信装置（第１の装置）５０及びこれと通信可能な電子装置（第２の装置又は１の装置）６０を含む。通信装置５０は、プロファイルＰ１及びＰ２を用いて電子装置６０との近距離無線通信を行う。また、通信装置５０は、プロファイルＰ２を用いて電子装置Ｔ１（他の装置）との間で近距離無線通信を行う。なお、プロファイルＰ１及びＰ２については、実施例１と同様である。また、通信装置５０は、通信装置２０と同様に、出力装置ＯＰに接続されている。
【００６４】
通信装置５０は、プロファイルＰ１（１のプロファイル）を用いた通信によって、電子装置６０からプロファイルＰ２（他のプロファイル）を用いた通信の確立の要求を受信する通信要求受信部５１を有する。具体的には、通信要求受信部５１は、電子装置６０との間でプロファイルＰ１を用いた通信を確立する。そして、プロファイルＰ１を用いた通信によって、電子装置６０からのプロファイルＰ２を用いた通信の確立を要求する信号（第２通信要求信号）を受信する。
【００６５】
通信装置５０は、プロファイルＰ２を用いた通信の制御を行う通信制御部５２を有する。本実施例においては、通信制御部５２は、プロファイルＰ２を用いた通信を電子装置６０との間で確立するか、又は電子装置Ｔ１との間で確立するかを切替える。本実施例においては、通信制御部５２は、電子装置６０からの通信要求（第２通信要求信号）に基づいて、電子装置Ｔ１との間で確立されているプロファイルＰ２を用いた通信を切断する。また、通信制御部５２は、プロファイルＰ２を用いた通信を電子装置６０との間で確立する。
【００６６】
通信装置５０は、当該確立されたプロファイルＰ２を用いた通信によって電子装置６０から送信されたデータを受信するデータ受信部５３を有する。また、通信装置５０は、通信装置５０内で処理された各種情報を記憶する記憶部５４を有する。本実施例においては、記憶部５４は、電子装置６０及びＴ１に関する情報、並びにデータ受信部５３によって受信されたデータを記憶する。
【００６７】
また、通信装置５０は、受信されたデータを出力装置ＯＰに出力するための各種処理を行う出力処理部５５とを有する。例えば、出力処理部５５は、エンコードされて受信された音声データをデコード処理し、スピーカＳ１から出力する出力データを生成する。
【００６８】
また、通信装置５０は、通信要求受信部５１、通信制御部５２、データ受信部５３、記憶部５４及び出力処理部５５による処理動作を制御する処理制御部５６を有する。処理制御部５６は、通信要求受信部５１、通信制御部５２、データ受信部５３、記憶部５４及び出力処理部５５に対し、動作指示を行う指令信号を生成及び供給することで、これらの処理を制御する。
【００６９】
次に、電子装置６０は、通信装置５０との通信を行うデータを取得するデータ取得部６１を有する。例えば、電子装置６０がディスクドライブである場合、データ取得部６１は、ディスクの被挿入部（図示せず）及び挿入されたディスクからデータを読取るデータ読取部を有する。
【００７０】
電子装置６０は、データ取得部６１が取得したデータを、プロファイルＰ２を用いた通信によって送信するデータ送信部６２を有する。具体的には、データ送信部６２は、プロファイルＰ２を用いた通信を通信装置５０との間で確立し、当該確立された通信によって通信装置５０にデータを送信する。
【００７１】
また、本実施例においては、データ送信部６２は、データの送信後には通信装置５０（データ受信部５３）にデータ送信の終了通知を行う。例えば、データ送信部６２は、データ取得部６１によるデータの取得が終了又は停止され、当該送信されるべきデータの送信を終えた際には、通信装置５０に当該終了通知を行う。例えば、データ取得部６１がデータの取得を終了する場合としては、電子装置６０からディスクが取り出された場合が挙げられる。
【００７２】
電子装置６０は、プロファイルＰ１を用いた通信によって、通信装置５０との間でプロファイルＰ２を用いた通信を確立することを要求する通信要求部６３を有する。通信要求部６３は、プロファイルＰ１を用いた通信を通信装置５０との間で確立する。そして、通信要求部６３は、通信装置５０に対して、プロファイルＰ２を用いた通信を確立することを要求する信号（第２通信要求信号）を送信する。
【００７３】
電子装置６０は、電子装置６０内で処理された各種の情報を記憶する記憶部６４を有する。記憶部６４は、例えばデータ取得部６１が取得したデータを記憶する。
【００７４】
本実施例においては、通信装置５０の通信制御部５２は、電子装置６０のデータ送信部６２からデータの送信の終了通知を受信した際には、電子装置６０との間のプロファイルＰ２を用いた通信を切断する。また、通信制御部６２は、電子装置６０との間のプロファイルＰ２を用いた通信を切断した際には、電子装置Ｔ１との間でプロファイルＰ２を用いた通信を再開する。
【００７５】
なお、通信制御部５２は、データの送信の終了通知を受信した場合のみならず、データ送信部６２からのデータの送信が終了したか否かを判定する。例えば、通信制御部５２は、データ受信部５３が所定時間データを受信しなかった場合、データの送信が終了したと判定する。通信制御部５２は、データの送信が終了したと判定した場合、電子装置６０とのプロファイルＰ２を用いた通信を切断し、電子装置Ｔ１との通信を再開する。
【００７６】
電子装置６０は、データ取得部６１、データ送信部６２、通信要求部６３及び記憶部６４による処理動作を制御する処理制御部６５を有する。処理制御部６５は、データ取得部６１、データ送信部６２、通信要求部６３及び記憶部６４に対し、動作指示を行う指令信号を生成及び供給することで、これらの処理を制御する。
【００７７】
図５は、通信装置５０による電子装置６０との通信フローを示す図である。通信装置５０は、電子装置６０との間でプロファイルＰ１を用いた通信を確立する（ステップＳ３１）。具体的には、通信装置５０の通信要求受信部５１は、電子装置６０にプロファイルＰ１を用いた通信の確立を要求する信号（第１通信要求信号）を送信する。そして、通信要求受信部５１は、電子装置６０との間でプロファイルＰ１を用いた通信を確立する。すなわち、本実施例においては、プロファイルＰ１を用いた通信は通信装置５０側から開始される。
【００７８】
次に、通信要求受信部５１は、電子装置６０から、プロファイルＰ２を用いた通信の要求を受信する（ステップＳ３２）。通信要求受信部５１は、電子装置６０の通信要求部６３からプロファイルＰ２を用いた通信の確立を要求する信号（第２通信要求信号）を受信する。
【００７９】
続いて、通信制御部５２は、プロファイルＰ２を用いた通信が他の装置との間で確立されているか否かを判定する（ステップＳ３３）。例えば、通信制御部５２は、データ受信部５３によるデータの受信状況などに基づいて、プロファイルＰ２を用いた通信が電子装置６０以外の他の装置（以下、電子装置Ｔ１と称する）との間で確立されているか否かを判定する。
【００８０】
通信制御部５２は、プロファイルＰ２を用いた通信が電子装置Ｔ１との間で確立されている場合、電子装置Ｔ１との通信を切断する。これによって、データ受信部５３による電子装置Ｔ１からのプロファイルＰ２を用いたデータの受信が停止される。また、本実施例においては、記憶部５４は、切断前に通信を行っていた電子装置Ｔ１に関する情報を記憶する（ステップＳ３４）。
【００８１】
続いて、通信装置５０の通信制御部５２は、電子装置６０との間でプロファイルＰ２を用いた通信を確立する（ステップＳ３５）。また、通信装置５０のデータ受信部５３は、当該確立された通信によって電子装置６０のデータ送信部６２から送信されたデータを受信し、出力装置ＯＰから出力する（ステップＳ３６）。これによって、例えば、電子装置Ｔ１からの音声データを出力（再生）していた状態から、電子装置６０からの音声データを出力する状態へと切り替わる。
【００８２】
続いて、本実施例においては、通信制御部５２は、電子装置６０からプロファイルＰ２を用いたデータ通信の終了通知を受信したか否かを判定する（ステップＳ３７）。通信制御部５２は、当該終了通知が受信されたと判定した場合、以前に電子装置Ｔ１とのプロファイルＰ２を用いた通信を行っていたか否かを判定する（ステップＳ３８）。通信制御部５２は、電子装置６０との通信前に電子装置Ｔ１との通信を行っていた場合、電子装置Ｔ１との通信を再開する（ステップＳ３９）。通信装置５０は、電子装置Ｔ１との通信を再開するか、電子装置６０との間のプロファイルＰ２を用いたデータ通信が切断されることで、電子装置６０との通信を終了する。
【００８３】
このように、本実施例においては、通信装置５０は、近距離無線通信のプロファイルＰ１を用いた通信によって、電子装置６０（１の装置）から近距離無線通信のプロファイルＰ２を用いた通信の確立の要求を受信する通信要求受信部５１と、電子装置Ｔ１（他の装置）との間で確立されているプロファイルＰ２を用いた通信を切断し、プロファイルＰ２を用いた通信を電子装置６０との間で確立する通信制御部５２と、当該確立された通信によって電子装置６０から送信されたデータを受信するデータ受信部５３と、を有する。
【００８４】
換言すれば、通信装置５０は、電子装置６０からプロファイルＰ２によるデータ通信を要求された場合、このプロファイルＰ２を用いた電子装置Ｔ１との通信を切断した上で電子装置６０とのプロファイルＰ２を用いた通信を確立させる。従って、スムーズな通信相手の切替を行うことができる通信装置５０及び通信システム４０を提供することができる。例えば、ユーザは、電子装置６０の操作（例えばディスクの挿入）を行うだけでよい。
【００８５】
また、通信制御部５２は、当該データの送信が終了したか否かを判定し、当該データの送信が終了したと判定した場合、電子装置６０との間のプロファイルＰ２を用いた通信を切断し、電子装置Ｔ１との間でプロファイルＰ２を用いた通信を再開する。従って、電子装置６０とのデータ通信の終了後に当該通信を行う前の電子装置Ｔ１との通信を自動的に再開する。従って、通信相手を元に戻す操作を行う必要がない。
【００８６】
本実施例は、電子装置６０を汎用装置として用いることができる。例えば、プロファイルＰ１及びＰ２に対応した汎用の電子装置を通信装置５０と組み合わせることで、同様の効果を得ることができる。すなわち、例えば、近距離無線通信によって接続されたオーディオシステムのうち、ディスクドライブが複数のプロファイルに対応していれば、ヘッドユニットを通信装置５０に置き換えることで、通信システム４０と同様のオーディオシステムを構成することができる。
【００８７】
また、本実施例は、例えば、図５に示すステップを経ることで、通信装置５０を用いた電子装置６０との間の通信方法としても実施することができる。すなわち、本発明による通信方法は、近距離無線通信のプロファイルＰ１を用いた通信によって、電子装置６０から近距離無線通信のプロファイルＰ２を用いた通信の確立の要求を受信するステップＳ３２と、電子装置Ｔ１との間で確立されているプロファイルＰ２を用いた通信を切断し、プロファイルＰ２を用いた通信を電子装置６０との間で確立するステップＳ３４と、当該確立された通信によって電子装置６０からデータを受信するステップと、を含む。これによって、複数の装置間でのスムーズな通信切替えを行うことが可能な通信方法を提供することができる。
【００８８】
なお、上記実施例においては、近距離無線通信であるBluetooth（登録商標）通信を用いて通信を行う場合について説明したが、通信方式はBluetooth（登録商標）通信に限定されない。上記の通信システムは、Bluetooth（登録商標）通信に限らず、ZigBee（登録商標）等の他の近距離無線通信を用いてもよい。また、Wi-Fi（登録商標）などの近距離無線通信以外の無線通信を用いてもよい。
【００８９】
また、上記実施例においては、プロファイルＰ１及びＰ２は、１の規格に準拠したプロファイルである場合について説明したが、プロファイルＰ１及びＰ２は、互いに異なる規格に準拠したプロファイルであってもよい。例えば、プロファイルＰ１及びＰ２の一方がBluetooth（登録商標）規格に準拠したプロファイルであり、他方がZigBee（登録商標）規格に準拠したプロファイルであってもよい。
【符号の説明】
【００９０】
１０、４０  通信システム
２０、５０  通信装置
３０、６０  電子装置
Ｔ１  電子装置
３３  切断命令部
５３  通信要求部
３２、６２  データ送信部
２１、５２  通信制御部
【図１】
2018082305.tif 000003
【図２】
2018082305.tif 000004
【図３】
2018082305.tif 000005
【図４】
2018082305.tif 000006
【図５】
2018082305.tif 000007